(57)【特許請求の範囲】
【請求項１】
一端に走行操作用のハンドルを突設した走行自在のリール収納フレームの略中央部左右にリール支持フレームをそれぞれ立設し、
リール支持フレームの上端にリール軸端部を着脱自在に遊嵌する凹状フックを設け、
凹状フックにリール軸端部を遊嵌した状態でホースリールをリール収納フレーム内部空間に収納可能とし、
しかも、ホースリールからの放水ホースの解舒及びホースリールへの放水ホースの巻取りは走行操作用のハンドル側から行うように構成し、
放水ホースの巻取り方向にのみ連動可能としたラチェットレバーの先端をリール軸端部に回転自在に連結可能とし、
放水ホースの巻取り負荷をラチェットレバーの回転作動により軽減可能としたことを特徴とする放水ホース巻取・搬送装置。
【請求項２】
リール収納フレームのハンドル側に大径車輪を、その前方に小径車輪を設け、
両車輪の接地状態ではリール軸端部を支持する凹状フックの上方開口部が斜め前方の方向を指向するように構成したことを特徴とする請求項１に記載の放水ホース巻取・搬送装置。
【請求項３】
ラチェットレバーは別途用意し、リール収納フレームに取外し自在に収納装備したことを特徴とする請求項１又は請求項２に記載の放水ホース巻取・搬送装置。
【請求項４】
別途ローラー台車を設け、ローラー台車は方形枠に複数のローラーシャフトを回転自在に架設したことを特徴とする請求項１〜請求項３のいずれか１項に記載の放水ホース巻取・搬送装置。
【発明の詳細な説明】
【技術分野】
【０００１】
この発明は、消火用や原子炉冷却放水用等に使用される大口径の放水ホースの巻取や巻取ったホースリールの搬送が容易に行える放水ホース巻取・搬送装置に関する。
【背景技術】
【０００２】
従来、火災現場の消火活動においては、消防車のポンプと放水銃との間に放水ホースをつなぐことにより放水銃から消火活動の放水を行っている。更には、原子力発電所においては、原子炉の冷却のために近隣の海水をポンプにより汲み上げて放水ホースを介して冷却放水のための配管に海水を供給するようにしている。
【０００３】
放水ホースは、火災現場での消火活動においては、予め、ホースリールに巻き取られ、或は収納ケース中に折畳んで収納されているため、放水ホースをリール搬送具や人力により現場に搬入し、リールや収納ケースから放水ホースを解舒して取出し、消防車と放水銃との間につなぎ、或は放水ホースの長さが不足する場合は、放水ホースをカップリングを介して連結延長して、現場の消火活動に対応した放水ホースの使用形態とする。
【０００４】
一方、消火活動が終了した場合は、放水ホースをそれぞれのカップリングにより取り外して手動でホースリールに巻取り、或は折畳んで所定場所に搬入・保管する。
この理は、原子炉冷却用の放水現場においても同様であり、このような大口径の放水ホースは人力によりホースリールから解舒され、或はホースリールに巻取られ、他方、放水ホースの巻き取られたホースリールは人力により所定位置まで搬送され、保管される。
【０００５】
例えば、特許文献１には、複数の放水ホースを容易に巻き取り、かつ運搬及び接続して延長することができる消防用ホースの運搬装置が開示されている。
すなわち、特許文献１に記載の消防用ホースの運搬装置は、消防用ホースを一重巻きで巻き取り収納するための複数の巻き取りリールと、該複数の巻き取りリールを軸支する枠体と、巻き取りリールを回転操作するための着脱自在の巻き取り用ハンドルと、装置運搬のために前記枠体に装着された背負いベルトとを備えた構成となっている。
【先行技術文献】
【特許文献】
【０００６】
【特許文献１】実用新案登録第３１７８２３１号公報
【発明の概要】
【発明が解決しようとする課題】
【０００７】
かかる従来の放水ホースの処理は、すべて人力により行われているため、現場においては、大口径のホースをホースリールから解舒し、或はホースリールに巻取る作業は大変な労力を要し、また巻取ったホースリールの搬送も容易ではなく、更には別途搬送具を用いてホースリールの移動を行う場合には現場まで搬送具の携行を必要とし、ホースリールとは別に搬送具の収納・保管を行う煩雑さがあった。
【０００８】
この発明では、簡便な構造にもかかわらず、最少の労力と時間で放水ホースの巻取り作業や巻取りリールの搬送を可能とした放水ホース巻取・搬送装置を提供するものである。
【課題を解決するための手段】
【０００９】
（１）この発明は、一端に走行操作用のハンドルを突設した走行自在のリール収納フレームの略中央部左右にリール支持フレームをそれぞれ立設し、リール支持フレームの上端にリール軸端部を着脱自在に遊嵌する凹状フックを設け、凹状フックにリール軸端部を遊嵌した状態でホースリールをリール収納フレーム内部空間に収納可能とし、しかも、ホースリールからの放水ホースの解舒及びホースリールへの放水ホースの巻取りは走行操作用のハンドル側から行うように構成し、放水ホースの巻取り方向にのみ連動可能としたラチェットレバーの先端をリール軸端部に回転自在に連結可能とし、放水ホースの巻取り負荷をラチェットレバーの回転作動により軽減可能としたことを特徴とするを提供せんとするものである。 
【００１０】
（２）また、この発明は、前記（１）において、リール収納フレームのハンドル側に大径車輪を、その前方に小径車輪を設け、両車輪の接地状態ではリール軸端部を支持する凹状フックの上方開口部が斜め前方の方向を指向するように構成したことを特徴とする。
【００１２】
（３）また、この発明は、前記（１）又は（２）において、ラチェットレバーは別途用意し、リール収納フレームに取外し自在に収納装備したことにも特徴を有する。
【００１３】
（４）また、この発明は、前記（１）〜（３）において、別途ローラー台車を設け、ローラー台車は方形枠に複数のローラーシャフトを回転自在に架設したことにも特徴を有する。 
【発明の効果】
【００１４】
請求項１に記載の発明によれば、放水ホースを巻取ったホースリールをリール収納フレームに装着する場合は、予めホースリールを地上面に載置した状態で、ハンドルの操作によりリール収納フレームを傾斜させながら、左右のリール軸端部をリール収納フレームの左右のリール支持フレーム上端の凹状フックに遊嵌してリール支持フレーム間にホースリールを架設状態とし、ホースリールをリール収納フレームの内部空間に回転自在に収納することができる。
【００１５】
この状態において、ハンドルを操作しながらリール収納フレームを走行移動して放水ホースの必要な位置にホースリールを移動することができる。
また、ホースリールから放水ホースを解舒して放水ホース先端のカップリングを放水銃等の放水器具あるいは送水ポンプに接続する場合には、放水ホース先端をハンドル側から引出していき、同時にリール収納フレームを放水ホース解舒方向と反対向きに逆走行すれば、自動的にホースリールはホース解舒方向に回転して容易に放水ホースの引出し解舒ができる。
【００１６】
ホースリールから解舒し終った放水ホースの基端のカップリングは対応する器具に接続する。放水作業の終了後に伸展した放水ホースをホースリールに巻取るに際しては放水ホースの先端と基端のカップリングを所定の器具から離脱し、放水ホースの基端カップリングを軸部の収容ケースに収容し、ハンドルと反対側のホースリールを巻取り方向に手動で回転させつつ、リール収納フレームを放水ホース先端方向へ走行させる。
かかる操作により、容易に放水ホースの巻取り作業が行える効果がある。
巻取った放水ホースは、リール収納フレームの空間部分に収納した状態でハンドル操作によりリール収納フレームを走行して所定位置まで移動することができる。
【００１７】
また、請求項１に記載の発明によれば、放水ホースの巻取り方向にのみ連動可能としたラチェットレバーの先端をリール軸端部に回転自在に連結可能とし、放水ホースの巻取り負荷をラチェットレバーの回転作動により軽減可能としたことにより、放水ホースの巻取りを容易に行うことができる効果がある。
【００１８】
請求項２に記載の発明によれば、リール収納フレームのハンドル側に大径車輪を、その前方に小径車輪を設け、両車輪の接地状態ではリール軸端部を支持する凹状フックの上方開口部がハンドルと対向する方向、すなわち、前方を指向するように構成したことにより、リール軸端部を容易に凹状フックに係合することができる効果がある。
【００１９】
請求項３に記載の発明によれば、ラチェットレバーは別途用意し、リール収納フレームに取外し自在に収納装備したことにより、ラチェットレバーが不用のときは収納して使用勝手のよいラチェットレバー装備機構とすることができる効果がある。
【００２０】
請求項４に記載の発明によれば、別途ローラー台車を設け、ローラー台車は方形枠に複数のローラーシャフトを回転自在に架設したことにより、リール支持フレームから取外したホースリールをローラー台車に積み変えることができる。従って、手動でホースリールをローラー台車上で回転させて放水ホースを巻取り、解舒が行えることになり、別途用意したホース収納パレットへの放水ホースの積み変えや積み降ろし作業が容易に行える効果がある。
【図面の簡単な説明】
【００２１】
【図１】放水ホース巻取・搬送装置の全体構造を示した斜視図である。
【図２】放水ホース巻取・搬送装置の全体構造を示した側面図である。
【図３】放水ホース巻取・搬送装置の全体構造を示した正面図である。
【図４】車輪の構造を説明する説明図である。
【図５】車輪の接続構造を説明する説明図である。（ａ）は小径車輪の接続構造を説明する説明図であり、（ｂ）は大径車輪の接続構造を説明する説明図である。
【図６】ラチェットレバーの構造を説明する説明図である。（ａ）はラチェット機構を説明する展開図であり、（ｂ）はラチェット機構を説明する平面図である。
【図７】ローラー台車の構造を説明する説明図である。
【図８】ホースリールをリール収納フレームに積載する状態を説明する説明図である。
【図９】リール収納フレームを走行しながらホースリールから放水ホースを解舒する状態を説明する説明図である。
【図１０】作業者が足で加重をかけながらホースリールから放水ホースを解舒する状態を説明する説明図である。
【図１１】放水ホースの基端部のカップリングを円筒体内に収納する状態を説明する説明図である。
【図１２】放水ホースを手動でホースリールに巻取る状態を説明する説明図である。
【図１３】放水ホースをラチェットレバーによりホースリールに巻取る状態を説明する説明図である。
【図１４】ホースリールをリール収納フレームに積載した状態で各種条件の地上面を搬送する状態を説明する説明図である。（ａ）は凸凹面を搬送する状態を説明する説明図であり、（ｂ）は段差面を搬送する状態を説明する説明図である。
【図１５】ホースリールに巻取った放水ホースをローラー台車を通してホース収納パレットに移し変える状態を説明する説明図である。（ａ）は移し変え前の状態を説明する説明図であり、（ｂ）は移し変え後の状態を説明する説明図である。
【図１６】走行操作用ハンドルの折畳み機構を説明する説明図である。（ａ）は折畳み前の状態を説明する説明図であり、（ｂ）は折畳み後の状態を説明する説明図である。
【図１７】走行操作用ハンドルの折畳み操作を説明する説明図である。
【発明を実施するための形態】
【００２２】
［放水ホース巻取・搬送装置の全体構造］
この発明は、図１に示すように、一端に走行操作用ハンドルＨを突設した走行自在のリール収納フレームＦの略中央部左右にリール支持フレーム１５，１５´をそれぞれ立設し、リール支持フレーム１５，１５´の上端にリール軸端部を着脱自在に遊嵌する凹状フック１６，１６´を設け、凹状フック１６，１６´にリール軸端部１４，１４´を遊嵌した状態でホースリールＲをリール収納フレームＦの内部空間に収納可能とし、しかも、ホースリールＲからの放水ホースＡの解舒及びホースリールＲへの放水ホースＡの巻取りは走行操作用ハンドルＨ側から行うように構成した放水ホース巻取・搬送装置Ｍを主たる構成とするものである。
【００２３】
具体的には、リール収納フレームＦと、リール収納フレームＦに設けた小径車輪ｗ及び大径車輪Ｗと、上端に凹状フック１６，１６´を設けたリール支持フレーム１５，１５´と、ラチェットレバーＬ，Ｌ´と、ローラー台車Ｄと、よりなる。
【００２４】
［Ｉ．ホースリールについて］
ホースリールＲは、図２に示すように、中心のリール軸２０を介して、左右一定の幅員を有して円環状の鍔部２１を連結して構成したものであり、リール軸２０から放射状に突設したホーク２２を介して左右鍔部２１をリール軸２０に取付けている。
リール軸２０の左右端部は、左右鍔部２１より左右外側方に突出してリール軸端部１４，１４´を形成している。
リール軸２０の外周には、図３に示すように、放水ホースＡの基端部のカップリングｈ２（図１１に示す）を収納し、かつ、放水ホースＡを巻取るための円筒体２３を固設しており、円筒体２３外周には内部に放水ホースＡの基端部のカップリングｈ２を出し入れ可能な窓部２４（図１１に示す）を形成している。
なお、左右鍔部２１の内周縁には、図２に示すように、作業者が手で把持しながらリール収納空間Ｓ内でホースリールＲを正逆回転操作できるように肉厚状のグリップ部２５を一定間隔で形成している。
【００２５】
［ＩＩ．リール収納フレームについて］
リール収納フレームＦは、底部枠ａと左右側部枠ｂと背部枠ｃとの組合せよりなる。
すなわち、図１に示すように、底部枠ａと左右側部枠ｂと背部枠ｃとによって略方形空間部のうちの四側面を形成するように構成しており、これらの四個の各枠により囲繞された略方形空間をリール収納空間Ｓとしている。
【００２６】
底部枠ａは、左右パイプ１，１´とその間に架設した複数の架設パイプ２，２´とにより平面視方形状に形成している。
各パイプの接続部には構造によりエルボ接続管３（図２に示す）やＴ字接続管４を用いる。
左右側部枠ｂは、底部枠ａの左右パイプ１，１´上に立設されるものであり、左右側部枠ｂのそれぞれは前縦パイプ５と後縦パイプ６とその上部間に架設した横パイプ７と底部枠ａの左右パイプ１，１´により略正方形状の枠を形成している。
【００２７】
背部枠ｃは、左右側部枠ｂの後端に折畳み自在に連設した左右の走行操作用ハンドルＨの下半部とその間に架設した水平パイプ８とより構成している。
換言すれば、背部枠ｃにはパイプよりなる略Ｕ字状の走行操作用ハンドルＨが後方斜め方向に延設されており、該ハンドルＨは下半部を背部枠ｃの一部として構成されている。
なお、底部枠ａ、左右側部枠ｂ及び背部枠ｃは、上記のように複数のパイプで構成しているが、複数の板材を用いて構成してもよい。
【００２８】
また、該ハンドルＨの中途には、ホースリールＲに巻取った放水ホースＡを解舒する際のガイドとなるガイドローラ９を架設しており、ガイドローラ９はローラー軸４２に回転自在に装着している。
該ハンドルＨの基部は、左右側部枠ｂの後縦パイプ６に後方へ突設したブラケット４３に折畳み自在に枢支されている。
【００２９】
すなわち、図１６（ａ）及び図１６（ｂ）に示すように、縦パイプの後方へ突設したブラケット４３の後端に、接合ロック機構４４を介して回転プレート４５を連設し、回転プレート４５を略Ｖ字状に折曲して先端に  該ハンドルＨの基部を連設している。
接合ロック機構４４は、ブラケット４３と回転プレート４５との間において対面状態にロックギヤ円盤４６，４６を噛合、離脱自在に当接しており、ロックギヤ円盤４６，４６の中心には回転軸４７を挿貫し、回転軸４７に沿って、ロックギヤ円盤４６，４６は噛合、離脱動作を行う。
外側方のロックギヤ円盤４６の外側面には締付用のロックレバー４８先端部が当接しており、ロックレバー４８の軸支部を中心とした回動操作によりロックレバー４８の先端部が外側方のロックギヤ円盤４６の外側面を押圧して、対面した他のロックギヤ円盤４６方向に変位させて各ロックギヤ円盤４６が噛合して該ハンドルＨに連なる回転プレート４５のロックが行われる。
一方、ロックレバー４８を解除方向に回動すれば、各ロックギヤ円盤４６，４６の噛合は解除されて互いに遊動状態となり、回転プレート４５は回転軸４７を中心に回動可能となり、図１７に示すように、該ハンドルＨの折畳み操作が行える。
折畳んだ状態で更にロックレバー４８を回転して締付け作動すれば、対面したロックギヤ円盤４６，４６は噛合して、回転プレート４５は固定されて該ハンドルＨは折畳み状態で固定される。
【００３０】
［ＩＩＩ．小径車輪と大径車輪について］
図４に示すように、底部枠ａの左右パイプ１，１´の先端に架設した架設パイプ２，２´両端と交差する左右パイプ１，１´先端部には、小径車輪ｗが、また、左右パイプ１，１´の中途部左右には大径車輪Ｗがそれぞれ装着されている。
【００３１】
すなわち、図５（ａ）に示すように、底部枠ａの先端に位置する架設パイプ２，２´の両端と交差する左右パイプ１，１´先端部には、架設パイプ２，２´中を挿貫して左右外端方向に伸延した基部枢軸１０，１０´を構成し、基部枢軸１０，１０´にクランク片１１，１１´基部を連設し、クランク片１１，１１´の先端部に小径車輪軸１２を枢支し、小径車輪軸１２に小径車輪ｗを回転自在に軸支している。小径車輪ｗの直径Ｌ−１は例えば１５０ｍｍである。
【００３２】
また、図５（ｂ）に示すように、左右パイプ１，１´の中途部に架設した架設パイプ２，２´中を挿貫して左右に伸延して構成した基部枢軸１０，１０´にクランク片１１，１１´基部を連設し、クランク片１１，１１´の先端に大径車輪軸１３を枢支し、大径車輪軸１３に大径車輪Ｗを回転自在に軸支している。大径車輪Ｗの直径Ｌ−２は例えば３６０ｍｍである。小径車輪ｗの中心軸と大径車輪Ｗの中心軸との距離Ｌ−３は略２９０ｍｍである。
図２中、４は小径及び大径車輪Ｗを装着するために底部枠ａの左右パイプ１，１´と架設パイプ２，２´とを連結するためのＴ字接続管を示す。
【００３３】
［ＩＶ．リール支持フレームについて］
図１に示すように、左右側部枠ｂの前縦パイプ５は、上方に伸延することによりリール支持フレーム１５，１５´としており、ホースリールＲの半径よりやや高位置にリール軸端部１４，１４´を着脱自在に遊嵌するための凹状フック１６，１６´を設けている。
【００３４】
図４に示すように、左右側部枠ｂを地上面に対して平行な水平姿勢では凹状フック１６，１６´は開口部が垂直上方に向けて開口した状態に構成しており、他方、小径車輪ｗと大径車輪Ｗを地上面に載置した姿勢では左右側部枠ｂは前方に傾斜した姿勢（例えば垂直状態から前方へθが略１０度傾斜した姿勢）となっており、この姿勢では凹状フック１６，１６´は走行操作用ハンドルＨと対向する側、すなわち、開口部が斜め前方に向いて開口した状態となる。
かかる凹状フック１６，１６´の開口方向は後述するホースリールＲの装着作業に有益に作用する。
【００３５】
凹状フック１６，１６´は、後述するリール軸端部１４，１４´を係止してホースリールＲを回転自在に支持するために設けられている。
すなわち、図８（ａ）〜図８（ｃ）に示すように、地上面に単独に載置したホースリールＲをリール収納フレームＦのリール収納空間Ｓに収納する場合には、底部枠ａの先端、特に先端の架設パイプ２，２´をホースリールＲと地上面との接線部分手前の挟搾間隙に押し込みながら走行操作用ハンドルＨを適宜昇降操作してホースリールＲをやや持ち上げながら凹状フック１６，１６´の開口部にリール軸端部１４，１４´を係合する。
この際、凹状フック１６，１６´は前方斜め方向に開口しているのでリール軸端部１４，１４´を後方から掬い上げながら凹状フック１６，１６´内に嵌入しやすい状態となる。この状態において、左右のリール軸端部１４，１４´が左右の凹状フック１６，１６´に係合して軸架されており、リール収納空間Ｓ内にホースリールＲが収納支持された状態となる。
【００３６】
［Ｖ．ラチェットレバーについて］
図１に示すように、ラチェットレバーＬ，Ｌ´は、左右２本で構成し、リール収納フレームＦのリール収納空間Ｓ中に収納懸架したホースリールＲの巻取り負荷を軽減するために用いられるものである。
ラチェットレバーＬ，Ｌ´は、リール収納空間Ｓに収納したホースリールＲのリール軸２０と走行操作用ハンドルＨ近傍までの長さにとしたレバー本体３０と、レバー本体３０の先端に形成したラチェット部３１と、ラチェット部３１の中心部に軸架し、レバー本体３０の回転に連動して、方向に回転するドライブギヤ３２と、ドライブギヤ３２のギヤに逆回転では係合し、正回転では非係合となる爪ギヤ３３と、ドライブギヤ３２からラチェット部３１外部へ導出したギヤ軸３４とより構成している。
図６（ａ）中、３７はボール３８を介して爪ギヤ３３をドライブギヤ３２に押圧するための付勢スプリングを示す。上記のように構成したラチェット部３１においては、レバー本体３０の一方向の回動ではドライブギヤ３２には動力は伝わらず、他方向の回動では爪ギヤ３３と係合してドライブギヤ３２と爪ギヤ３３とレバー本体３０とが一体固定状態となり、レバー本体３０とが一体固定状態となり、レバー本体３０の回動応力はそのままギヤ軸３４に伝達されてワンウェイ回動操作を可能とする。
【００３７】
ギヤ軸３４の軸端は、角軸に構成し、ホースリールＲのリール軸端部１４，１４´に設けた角穴状の挿入ソケット１７に嵌入して一体連動状態となるように構成している。かかる構成の２本のラチェットレバーＬ，Ｌ´は、通常は走行操作用ハンドルＨの収納ラック部３６に横架収納しておくために、図１に示すように、該ハンドルＨの中途の収納ラック部３６に係合用フック３５を設け、収納時には該フック３５にレバー本体３０を係合固定して収納ラック部３６に収納しておき、使用時には係合用フック３５を解除して用いるようにする。
【００３８】
［ＶＩ．ローラー台車について］
図７（ａ）に示すように、ローラー台車Ｄは、方形枠４０間に前後２本のローラーシャフト４１を回転自在に架設して構成している。前後２本のローラーシャフト４１間には、リール収納フレームＦから降ろしたホースリールＲを載置可能としており、ホースリールＲの円環状の左右鍔部２１がローラーシャフト４１上で回転可能となる。
ローラー台車Ｄの用途は、図７（ｂ）に示すように、すでにホースリールＲに巻取った放水ホースＡをホースリールＲから解舒しながら別途用意したパレットに折畳み収納すべく移し変えする際に用いるものである。
【００３９】
本発明の放水ホース巻取・搬送装置Ｍは上記のように構成されている。
以下、放水ホースＡの巻取り・解舒作業について具体的に説明する。
【００４０】
［１．放水ホースを巻取ったホースリールをリール収納フレームに積載する場合］
図８（ａ）に示すように、ホースリールＲをリール収納フレームＦに積載するに際しては、ホースリールＲを地上面に載置し、本発明の放水ホース巻取・搬送装置Ｍを走行してホースリールＲに近づけ、リール収納フレームＦの先端、すなわち、底部枠ａの先端部がホースリールＲの左右鍔部２１と地上面との接線の挟搾部分に入り込むようにする。
【００４１】
同時に、図８（ｂ）に示すように、リール軸端部１４，１４´がリール支持フレーム１５，１５´の上端に凹状フック１６，１６´に係合するように、リール収納フレームＦを前後昇降させて、リール軸端部１４，１４´を凹状フック１６，１６´に軸支した状態とする。
かかる状態でホースリールＲはリール収納空間Ｓに収納状態となっている。
かかる動作の中途においては、走行操作用ハンドルＨを操作しながらリール収納フレームＦを水平状態から前傾状態（例えば傾斜角度４５度以上）に傾動して凹状フック１６，１６´がリール収納フレームＦの先端斜め側に開口する状態として凹状フック１６，１６´中にリール軸端部１４，１４´が入りやすい状態とする。
このようにして、リール収納フレームＦにホースリールＲを収納し、リール支持フレーム１５，１５´にホースリールＲを軸架状態とし、図８（ｃ）に示すように、リール収納フレームＦを前傾状態から元の状態に戻すことでホースリールＲの積載作業が完了する。
【００４２】
［２．ホースリールから放水ホースを解舒する場合］
放水ホースＡをホースリールＲから解舒するに際しては、放水ホースＡの先端を走行操作用ハンドルＨ側へ引出し、該ハンドルＨ中途に横架したガイドローラ９に案内させて所定位置まで伸展させる。
図１０に示すように、この際に走行操作用ハンドルＨを押してリール収納フレームＦを先端方向に走行させると、小径車輪ｗ及び大径車輪Ｗにより容易に前進走行が行われ、前進走行に伴ってホースリールＲはホース解舒方向へ回転し、放水ホースＡは後方に伸展されていき、解舒作業が最小の労力で可能となる。
特に、図９に示すように、リール収納フレームＦの前進に伴い伸展した放水ホースＡを作業者の足により加重をかけて地上面に押え付けながら、ホースリールＲの解舒回転を更に容易とする。
【００４３】
［３．伸展した放水ホースをホースリールに巻取る場合］
ホースリールＲに放水ホースＡを巻取る場合には、図１１に示すように、放水ホースＡの基端部のカップリングｈ２をリール軸２０に設けた円筒体２３中に収納し、円筒体２３の外周に放水ホースＡを巻取っていく。図１２に示すように、この際にはリール収納フレームＦに軸架したホースリールＲを巻取り方向に回転させるものであるが、放水ホースＡの巻取り量が大きくなるに従い、ホースリールＲの回転負担は大となり、手動で容易に回転することができない場合が生じる。
かかる状態においては、図１３に示すように、走行操作用ハンドルＨの収納ラック部３６から左右２本のラチェットレバーＬ，Ｌ´を取出し、ラチェットレバーＬ，Ｌ´のギヤ軸３４をリール軸端部１４，１４´の挿入ソケット１７に挿入し、レバー本体３０を走行操作用ハンドルＨとは逆の方向にセットし、リール収納フレームＦを逆走させながら左右のラチェットレバーＬ，Ｌ´をリール巻取り方向に左右交互に回動すれば、リール軸端部１４，１４´を介してホースリールＲは放水ホースＡの巻取り方向に回転し、ラチェットレバーＬ，Ｌ´による巻取り負荷の軽減を行うことができる。
【００４４】
［４．放水ホースを巻取ったホースリールをリール収納フレームに積載した状態で各種条件の地上面を搬送する場合］
放水ホースＡを巻取ったホースリールＲを所定場所に搬送する場合には、リール収納フレームＦに収納した該フレーム下部の小径車輪ｗと大径車輪Ｗを利用して本発明の放水ホース巻取・搬送装置Ｍの走行を行う。
この際、図４に示すように、前部の小径車輪ｗと後部の大径車輪Ｗは、クランク片１１，１１´を介してリール収納フレームＦに設けた基部枢軸１０，１０´を中心に回動して車輪の位置を上下に変位させることができる。従って、図１４（ａ）及び図１４（ｂ）に示すように、走行地面に凹凸があっても、各車輪が上下変位することにより凹凸面になじんで走行することができる。
このように、リール収納フレームＦは可及的に水平状態を保持しながら凹凸地面を走行しうるためにホースリールＲが傾動したり、リール軸端部１４，１４´が凹状フック１６，１６´から離脱したりするのを防止することができる。
【００４５】
［５．ホースリールに巻取った放水ホースをホース収納パレットに移し変える場合］
放水ホースＡをホースリールＲから解舒・取外して別途用意にしたホース収納パレットＥに移し変える場合は、まず、放水ホースＡを巻取った状態のホースリールＲをリール収納フレームＦから降ろす。
この際、図１５（ａ）に示すように、リール収納フレームＦを前傾姿勢にしてリール軸端部１４，１４´を凹状フック１６，１６´から離脱させてホースリールＲをリール収納空間Ｓから前方へ転がし、リール収納フレームＦの前方に置いたローラー台車Ｄ上に載せて移し変える。
ローラー台車Ｄのローラーシャフト４１上には転動自在にホースリールＲの左右鍔部２１が載置されており、この状態でホースリールＲを放水ホースＡの解舒方向に回転させると、ホースリールＲに巻取った放水ホースＡは解舒されていき、図１５（ｂ）に示すように、近傍に配置したホース収納パレットＥ内に所定長さに折畳んで収納することができる。
なお、反対にホース収納パレットＥから放水ホースＡを取出し・巻取る場合には空のホースリールＲをローラー台車Ｄ上に転動自在に裁置し、放水ホースＡの基端部のカップリングｈ２をホースリールＲ中心の円筒体２３中に収納し、作業者がホースリールＲをローラー台車Ｄ上で回転させて円筒体２３外周に放水ホースＡを巻取っていく。
【００４６】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００４７】
Ａ  放水ホース
Ｄ  ローラー台車
Ｅ  ホース収納パレット
Ｈ  走行操作用ハンドル
Ｌ，Ｌ´  ラチェットレバー
Ｍ  放水ホース巻取・搬送装置
Ｒ  ホースリール
Ｆ  リール収納フレーム
Ｓ  リール収納空間
ａ  底部枠
ｂ  左右側部枠
ｃ  背部枠
ｈ１  先端部のカップリング
ｈ２  基端部のカップリング
ｗ  小径車輪
Ｗ  大径車輪
１，１´  左右パイプ
２，２´  架設パイプ
３  エルボ接続管
４  Ｔ字接続管
５  前縦パイプ
６  後縦パイプ
７  横パイプ
８  水平パイプ
９  ガイドローラ
１０，１０´  基部枢軸
１１ｂ，１１ｂ´  クランク片
１２  小径車輪軸
１３  大径車輪軸
１４，１４´  リール軸端部
１５，１５´  リール支持フレーム
１６，１６´  凹状フック
１７  挿入ソケット
２０  リール軸
２１  左右鍔部
２２  ホーク
２３  円筒体
２４  窓部
２５  グリップ部
３０  レバー本体
３１  ラチェット部
３２  ドライブギヤ
３３  爪ギヤ
３４  ギヤ軸
３５  係合用フック
３６  収納ラック部
３７  付勢スプリング
３８  ボール
４０  方形枠
４１  ローラーシャフト
４２  ローラー軸
４３  ブラケット
【図１】
0005607705.tif 000002
【図２】
0005607705.tif 000003
【図３】
0005607705.tif 000004
【図４】
0005607705.tif 000005
【図５】
0005607705.tif 000006
【図６】
0005607705.tif 000007
【図７】
0005607705.tif 000008
【図８】
0005607705.tif 000009
【図９】
0005607705.tif 000010
【図１０】
0005607705.tif 000011
【図１１】
0005607705.tif 000012
【図１２】
0005607705.tif 000013
【図１３】
0005607705.tif 000014
【図１４】
0005607705.tif 000015
【図１５】
0005607705.tif 000016
【図１６】
0005607705.tif 000017
【図１７】
0005607705.tif 000018